(57)【要約】【課題】フィルターを位置決めするとともに、フィルターに挿通される電線の損傷を抑制可能な構成を一つの簡単な部材で実現可能な電装装置及び表示装置を提供すること。【解決手段】電装装置及び表示装置において、収容部２６には、第１電線２７Ａが挿通された状態のフィルター２８、及び第１電線２７Ａにおいて基端部２７Ａ１からフィルター２８に至る特定部分が収容される。保持部材２９は、収容部２６に取り付けられ、内周縁部２６Ａから開口２６Ｂへ向かって突出する。保持部材２９において、介在部２９１は、内周縁部２６Ａと前記特定部分との間に介在し、位置規制部２９２は、収容部２６における前記第１方向に直交する第２方向の両側と、前記第１方向及び前記第２方向に直交する第３方向の一方側とから、収容部２６内に収容されるフィルター２８に当接する。【選択図】図１
2020009964.tif 000002
【特許請求の範囲】
【請求項１】
電子回路が設けられる基板と、
前記電子回路と電気的に接続される基端部を有する第１電線と、
前記第１電線が挿通される貫通孔を有するフィルターと、
底部と、前記底部から離間する第１方向へ隔てた位置において開口の形状を規定する内周縁部とを有し、前記第１電線が前記貫通孔に挿通された状態の前記フィルター、及び前記第１電線において前記基端部から前記フィルターに至る特定部分が収容される収容部と、
可撓性材料で構成され、前記内周縁部から前記開口側へ向かって突出するように前記収容部に取り付けられる保持部材と、を備え、
前記保持部材は、
前記内周縁部と前記特定部分との間に介在する介在部と、
前記収容部における前記第１方向に直交する第２方向の両側と、前記第１方向及び前記第２方向に直交する第３方向の一方側とから、前記収容部に収容されている前記フィルターに当接して、前記収容部における前記フィルターの位置を規制する位置規制部と、
を含む電装装置。
【請求項２】
前記保持部材は、シート状の形状を有する、
請求項１に記載の電装装置。
【請求項３】
前記底部から前記第１方向へ離間するベース部と、前記基板が取り付けられる取付部と、を含むフレーム部、を更に備え、
前記ベース部は、前記内周縁部に含まれる第１端面、第２端面、及び第３端面を有し、
前記第１端面は、前記収容部に収容される前記フィルターの前記第２方向へのサイズよりも長い第１特定距離だけ前記第２方向に互いに離間する第１端部及び第２端部を有し、前記第１端部から前記第２端部まで延在し、前記開口における前記第３方向の一方側の形状を規定し、
前記第２端面は、前記第３方向の一方側から他方側に向かう第４方向に前記第１端部から離間する第３端部を有し、前記第１端部から前記第３端部まで延在し、前記開口における前記第２方向の一方側の形状を規定し、
前記第３端面は、前記第２端部から前記第４方向に離間する第４端部を有し、前記第２端部から前記第４端部まで延在し、前記開口における前記第２方向の他方側の形状を規定し、
前記取付部は、前記収容部の前記内周縁部に含まれる第４端面を有し、
前記第４端面は、前記第３端部から前記第１方向及び前記第４方向の双方に離間する第５端部を有し、前記第３端部から前記第５端部まで前記第１方向に延在するとともに前記第４方向に延在し、前記開口における前記第２方向の一方側の形状を規定し、
前記基板は、前記取付部に取り付けられる場合に、前記第１端面から前記第４方向に離間する第５端面を含み、
前記第５端面は、前記第４端面の前記第１方向における端部と当接し、前記第２方向の一方側から他方側に向かう第５方向へ前記第４端面から延出する、
請求項１又は２に記載の電装装置。
【請求項４】
前記介在部は、前記第１端面から前記第５端面に向かって前記第２端面及び前記第４端面に沿って延出し、
前記介在部の前記第４方向における先端には、前記特定部分が嵌まり込む切り欠き部が設けられている、
請求項３に記載の電装装置。
【請求項５】
前記フィルターは、前記第１端面、前記第２端面、前記第３端面、前記第４端面及び前記第５端面に囲まれるとともに、前記第２端面から前記第５方向に第２特定距離だけ離間して収容され、
前記第１電線の前記特定部分は、前記フィルターと前記第４端面との間に収容され、
前記切り欠き部は、
前記第２端面から前記第５方向に前記第２特定距離よりも短い第３特定距離だけ離間し、前記第４方向に沿って延在する第１周縁部を、有し、
前記特定部分は、前記第１周縁部よりも前記第５方向側に配置される、
請求項４に記載の電装装置。
【請求項６】
前記切り欠き部は、
前記第１周縁部の前記第３方向の一方側の端部から、前記第１電線の太さに基づき定められる第４特定距離だけ前記第５方向に延出する第２周縁部と、
前記第２周縁部の前記第５方向における端部から、前記第４方向に沿って延在する第３周縁部と、を更に有し、
前記第１電線の前記特定部分は、前記第２周縁部よりも前記第４方向側と、前記第３周縁部よりも前記第２方向の一方側とに配置される、
請求項５に記載の電装装置。
【請求項７】
前記位置規制部は、
前記フィルターの前記サイズに相当する第５特定距離だけ前記第２方向において互いに離間する第６端部及び第７端部を有し、前記第６端部及び前記第７端部の間で前記第１端面に沿って延在する第１当接部と、
前記第６端部から前記第４方向に延出する第２当接部と、
前記第７端部から前記第４方向に延出する第３当接部と、を有し、
前記第２当接部は、前記収容部に収容される前記フィルターに前記第２方向の一方側から当接し、前記第３当接部は、前記フィルターに前記第２方向の他方側から当接する、
請求項３〜６のいずれかに記載の電装装置。
【請求項８】
前記電子回路と電気的に接続され、前記第２方向の他方側から一方側に向かう第６方向において前記第３端面寄りの位置に設けられる第２電線、を更に備え、
前記第３当接部は、前記第２電線における前記第６方向側の端部よりも前記第６方向側に突出する、
請求項７に記載の電装装置。
【請求項９】
前記フィルターは、予め定められている外径の外周面を有し、
前記第１端面及び前記第５端面の各々は、前記フィルターの外径の２分の１に相当する距離よりも長い第６特定距離だけ前記底部から離間し、
前記第１当接部は、前記第１端面から前記第４方向へ突出して、前記収容部に収容される前記フィルターの外周面に当接するとともに前記フィルターの外周面を前記第５端面に当接させる、
請求項７又は８に記載の電装装置。
【請求項１０】
前記開口は、前記第１端面、前記第２端面、前記第３端面、前記第４端面及び前記第５端面に囲まれる空間である、
請求項３〜９のいずれかに記載の電装装置。
【請求項１１】
請求項１〜１０のいずれかに記載の電装装置と、
前記電子回路から送信される画像データに基づき画像を表示する表示部と、
を備える表示装置。
【発明の詳細な説明】
【技術分野】
【０００１】
本発明は、電線にフィルターが設けられている電装装置、及び前記電装装置を備える表示装置に関する。
【背景技術】
【０００２】
一般に、電装装置において、信号線又は電力線を含む電線は、ノイズ除去のために、フェライトコア等を含むフィルターに挿通される（例えば特許文献１を参照）。
【先行技術文献】
【特許文献】
【０００３】
【特許文献１】特開平１１−２０４９８０号公報
【発明の概要】
【発明が解決しようとする課題】
【０００４】
前記電装装置の内部には、板金加工により作製されるフレーム、外装体、又はリジッドな基板等の部材が設けられる。前記部材の各々の周縁部は鋭利なエッジになっている場合がある。そのため、前記フィルターが前記電装装置の内部に設けられる場合、前記フィルターが前記電装装置の内部で動き、前記フィルターに挿通される前記電線が前記エッジと接触することにより、前記電線が損傷するおそれがある。
【０００５】
本発明の目的は、前記フィルターを位置決めするとともに、前記フィルターに挿通される前記電線の損傷を抑制可能な構成を一つの簡単な部材で実現可能な電装装置及び表示装置を提供することにある。
【課題を解決するための手段】
【０００６】
本発明の一の局面に係る電装装置は、基板と、第１電線と、フィルターと、収容部と、保持部材と、を備える。前記基板には、電子回路が設けられる。前記第１電線は、前記電子回路と電気的に接続される基端部を有する。前記フィルターは、前記第１電線が挿通される貫通孔を有する。前記収容部は、底部と、前記底部から離間する第１方向へ隔てた位置において開口の形状を規定する内周縁部とを有する。前記収容部には、前記第１電線が前記貫通孔に挿通された状態の前記フィルター、及び前記第１電線において前記基端部から前記フィルターに至る特定部分が収容される。前記保持部材は、可撓性材料で構成され、前記内周縁部から前記開口側へ向かって突出するように前記収容部に取り付けられる。前記保持部材は、介在部と、位置規制部と、を含む。前記介在部は、前記内周縁部と前記特定部分との間に介在する。前記位置規制部は、前記収容部における前記第１方向に直交する第２方向の両側と、前記第１方向及び前記第２方向に直交する第３方向の一方側とから、前記収容部に収容されている前記フィルターに当接して、前記収容部における前記フィルターの位置を規制する。
【０００７】
本発明の他の局面に係る表示装置は、前記電装装置と、表示部と、を備える。前記表示部は、前記電子回路から送信される画像データに基づき画像を表示する。
【発明の効果】
【０００８】
本発明によれば、フィルターを位置決めするとともに、前記フィルターに挿通される前記電線の損傷を抑制可能な構成を一つの簡単な部材で実現することが可能な電装装置及び表示装置を提供することができる。
【図面の簡単な説明】
【０００９】
【図１】図１は、一実施形態に係る画像形成装置の外観を示す模式図である。
【図２】図２は、図１に示す操作表示部を前方側から見た斜視図である。
【図３】図３は、図１に示す操作表示部を後方側から見た斜視図である。
【図４】図４は、図１に示す操作表示部の内部における要部を示す斜視図である。
【図５】図５は、図４に示す一点鎖線Ｖ−Ｖに沿う操作表示部の断面を操作表示部の下方から見た時の模式図であり、特に、基板の取り付け前の操作表示部を示す模式図である。
【図６】図６は、図４に示すフレーム部を後方から見た時の模式図であり、特に、基板の取り付け前の操作表示部を示す模式図である。
【図７】図７は、図５は、図４に示す一点鎖線Ｖ−Ｖに沿う操作表示部の断面を操作表示部の下方から見た時の模式図であり、特に、基板の取り付け後の操作表示部を示す模式図である。
【図８】図８は、図６は、図４に示すフレーム部を後方から見た時の模式図であり、特に、基板の取り付け後の操作表示部を示す模式図である。
【図９】図９は、図６に示される収容部を斜め後方から見た時の拡大図であり、特に、フィルターの取り付け前の操作表示部を示す図である。
【図１０】図１０は、図６に示される収容部を斜め後方から見た時の拡大図であり、特に、フィルターの取り付け後の操作表示部を示す図である。
【図１１】図１１は、保持部材の斜視図である。
【図１２】図１２は、図１１に示す保持部材のベース部への取り付け方法の他の例を示す斜視図である。
【図１３】図１３は、図１１に示す保持部材の介在部と、収容部との関係を示す斜視図である。
【図１４】図１４は、図１１に示す保持部材の位置規制部と、収容部との関係を示す斜視図である。
【発明を実施するための形態】
【００１０】
以下添付図面を参照しながら、本発明の一実施形態について説明し、本発明の理解に供する。なお、以下の実施形態は、本発明を具体化した一例であって、本発明の技術的範囲を限定するものではない。
【００１１】
図２において、矢印Ｄは、後述の操作表示部２の前後方向を示す。なお、矢印Ｄは、表示部２２における後述の第１主面２２Ｂ及び第２主面２２Ｃ（図５を参照）に垂直な方向と同じ方向である。図５において、矢印Ｄ１は、第１主面２２Ｂ及び第２主面２２Ｃに垂直な方向の内、第１主面２２Ｂ側から第２主面２２Ｃ側に向かう第１方向である。以下、前記前後方向を前後方向Ｄと称する。前記第１方向を第１方向Ｄ１と称する。
【００１２】
図２において、矢印Ｌ２は、操作表示部２の上下方向を示す。なお、矢印Ｌ２は、図５に示すように、第１方向Ｄ１と直交する第２方向と同じ方向である（図５を参照）を示す。特に、矢印Ｌ５は、前記第２方向の一方側から他方側に向かう第５方向を示す。また、矢印Ｌ６は、前記第２方向の他方側から一方側に向かう第６方向を示す。具体的に、前記第５方向は、操作表示部２において下側へ向かう方向（下方向）であり、前記第６方向は、操作表示部２において上側へ向かう方向（上方向）である。以下、前記上下方向を上下方向Ｌ２と称し、前記第２方向を第２方向Ｌ２と称する。
【００１３】
図２において、矢印Ｗ３は、操作表示部２の左右方向を示す。なお、矢印Ｗ３は、第１方向Ｄ１及び第２方向Ｌ２と直交する第３方向を示す（図６を参照）。図５において、矢印Ｗ４は、前記第３方向の一方側から他方側に向かう第４方向を示す。具体的に、前記第４方向は、操作表示部２において左側から右側へ向かう方向（右方向）である。以下、前記左右方向を左右方向Ｗ３と称し、前記第３方向を第３方向Ｗ３と称する。また、前記第４方向を第４方向Ｗ４と称する。
【００１４】
図１において、画像形成装置１００は、プリンター、コピー機又は複合機等である。前記複合機は、プリント機能、コピー機能、ファクシミリ機能及びスキャン機能等を有する。画像形成装置１００は、筐体１、操作表示部２、画像読取部４、及び画像形成部５等を備える。
【００１５】
筐体１は、フレーム及び外装体を含む。筐体１の内部には、画像読取部４、画像形成部５及び制御部（不図示）が設けられる。
【００１６】
操作表示部２は、筐体１の前面において上寄りの位置に設けられる。操作表示部２は、図２及び図３に示されるように、筐体２１と、表示部２２と、操作部２３と、を備える。操作表示部２は更に、フレーム部２４及び基板２５（図４を参照）と、収容部２６（図９を参照）と、第１電線２７Ａ、第２電線２７Ｂ、フィルター２８及び保持部材２９（図４を参照）と、を備える。操作表示部２は、本発明の電装装置及び表示装置の一例である。具体的には、前記電装装置は、フレーム部２４、基板２５、収容部２６、第１電線２７Ａ、第２電線２７Ｂ、フィルター２８及び保持部材２９を備える。前記表示装置は、表示部２２と、前記電装装置と、を備える。
【００１７】
図２において、筐体２１は、操作表示部２の外装体であり、フロントケーシング２１１と、リアケーシング２１２とを含む。フロントケーシング２１１は、筐体２１の前側の外装体である。リアケーシング２１２は、筐体２１の後側の外装体である。フロントケーシング２１１及びリアケーシング２１２には、表示部２２及び操作部２３と、フレーム部２４及び基板２５（図４を参照）とが設けられる。この状態で、リアケーシング２１２は、フロントケーシング２１１に複数のネジで取り付けられる。
【００１８】
図３において、リアケーシング２１２の外面には、軸受２１２Ａが設けられる。軸受２１２Ａには、筐体１（図１を参照）の前面に設けられるシャフト（図示せず）が挿通される。これにより、操作表示部２は、筐体１に対して軸Ａ１を中心として揺動方向ＳＤ１に揺動可能である。回転軸Ａ１は、左右方向Ｗ３に沿って延在する軸である。
【００１９】
図２において、表示部２２は、偏向フィルター、ガラス基板、液晶及びバックライト等を含む液晶パネル等である。表示部２２は、矩形形状の表示領域２２Ａに画像を表示する。また、操作部２３は、ユーザー操作を受け付ける複数の操作ボタン等である。なお、図２には、都合上、参照符号「２３」は２個の操作ボタンのみに付されている。
【００２０】
フロントケーシング２１１には、複数の貫通孔が形成される。前記複数の貫通孔の各々は、フロントケーシング２１１の前面側から背面側へと貫通する孔である。前記複数の貫通孔の一つは、表示用貫通孔２１１Ａであり、フロントケーシング２１１において上寄りの位置に設けられる。表示用貫通孔２１１Ａは、表示部２２の表示領域２２Ａのサイズに対応するサイズを有する。表示部２２は、表示用貫通孔２１１Ａから操作表示部２の前側に表示領域２２Ａが露出するようにフロントケーシング２１１の直ぐ後ろ側に配置される。
【００２１】
前記複数の貫通孔の残り（以下、操作用貫通孔という）は、フロントケーシング２１１において下寄りの位置に設けられる。前記複数の操作用貫通孔は、前記複数の操作ボタンに対応する形状及びサイズを有する。前記複数の操作ボタンは、図示しない操作基板に配置される。前記操作基板は、フロントケーシング２１１の直ぐ後ろ側に配置される。また、前記複数の操作ボタンの各々は、対応する前記操作用貫通孔から操作表示部２の前側に露出する。
【００２２】
図１において、画像読取部４は、原稿台、光源、ミラー、光学レンズ、及びＣＣＤ（Charge Coupled Device）を含むスキャナーである。画像読取部４は、所謂ＡＤＦ（Automatic Document Feeder）により搬送される原稿、又は原稿台ガラス（図示せず）に載置される原稿を光学的に読み取る。画像読取部４は、前記原稿の内容を表す画像データを、画像形成装置１００の制御部（図示せず）に送信する。
【００２３】
画像形成部５は、電子写真方式又はインクジェット方式で、前記画像データに基づく画像をシート上に形成して印刷物を生成する画像形成ユニットである。前記電子写真方式の場合、画像形成部５は、感光体ドラム、帯電器、露光装置、現像装置、転写装置、及び定着装置等を含む。
【００２４】
次に、図４〜図１４を参照し、操作表示部２のより詳細な構成について詳説する。
【００２５】
図５において、表示部２２は、前後方向Ｄにおいて互いに離間する第１主面２２Ｂ及び第２主面２２Ｃを有する。表示部２２の前側の面が第１主面２２Ｂであり、後ろ側の面が第２主面２２Ｃである。第１主面２２Ｂ及び第２主面２２Ｃの各々は、矩形形状を有し、フロントケーシング２１１に設けられる表示用貫通孔２１１Ａのサイズよりも大きいサイズを有する。第１主面２２Ｂは表示領域２２Ａを含む。
【００２６】
表示部２２はフロントケーシング２１１内に配置される。この際、第１主面２２Ｂは、フロントケーシング２１１の背面（即ち、筐体２１の内面）と当接する。また、第２主面２２Ｃは、第１主面２２Ｂから後方に離間する。
【００２７】
第２主面２２Ｃには、収容部２６（図９を参照）の底部２２Ｄが区画されている。底部２２Ｄは、図５において、第２主面２２Ｃにおいて点線の楕円で囲まれる部分である。具体的に、底部２２Ｄは、図６に示されるように、表示部２２の第２主面２２Ｃの左上隅寄りの部分である。より詳細には、底部２２Ｄは、第２主面２２Ｃの後方からの平面視で、後述の開口２６Ｂにより囲まれる領域である。図６中、第２主面２２Ｃの外形線は点線で示されている。
【００２８】
フレーム部２４は、図４に示されるように、金属製の板を板金加工することにより作製される。フレーム部２４は、複数のネジによりフロントケーシング２１１に取り付けられる。また、フレーム部２４は、ベース部２４１と、４個の取付部２４２Ａ，２４２Ｂ，２４２Ｃ，２４２Ｄと、を有する。
【００２９】
図５に示されるように、ベース部２４１は、第２主面２２Ｃに含まれる底部２２Ｄから第１方向Ｄ１に離間する。ベース部２４１は、第１主面２４１Ａ及び第２主面２４１Ｂを有する。第１主面２４１Ａ及び第２主面２４１Ｂの各々は、第２方向Ｌ２及び第３方向Ｗ３に平行な面である。第１主面２４１Ａは、フィルター２８の外径φ０１（図９を参照）の２分の１よりも長い距離ＦＤ１だけ第２主面２２Ｃから離間する。なお、距離ＦＤ１は、本発明の第６特定距離の一例である。そのため、以下、距離ＦＤ１を第６特定距離ＦＤ１と称する。第２主面２４１Ｂは、第２主面２２Ｃから第１方向Ｄ１の逆方向に、前記板の厚さ（即ち、ベース部２４１の厚さ）Ｔ０１に相当する距離だけ離間する。
【００３０】
図６に示されるように、第２主面２４１Ｂの外形は、操作表示部２の後方からの平面視で概ね矩形形状を有する。第２主面２４１Ｂは、第２方向Ｌ２及び第３方向Ｗ３の各々に、（１）フロントケーシング２１１よりも小さいサイズを有し、且つ（２）表示部２２の第２主面２２Ｃよりも大きいサイズを有する。なお、図６には、表示部２２の外形線、及び第２主面２２Ｃは点線で示されている。
【００３１】
第２主面２４１Ｂは、自身の左端に外縁２４１Ｃを有する。外縁２４１Ｃは第２方向Ｌ２に沿って延在する。
【００３２】
ベース部２４１には、図５に示されるように、第１主面２４１Ａから第２主面２４１Ｂに第１方向Ｄ１に貫通する切り抜き開口２４１Ｇが形成される。具体的に、切り抜き開口２４１Ｇは、図６に示されるように、第２主面２４１Ｂの左上隅寄りの位置に形成される。切り抜き開口２４１Ｇの第３方向Ｗ３におけるサイズ（即ち幅）はＷ０１であり、その第２方向Ｌ２におけるサイズ（即ち長さ）はＬ０１である。
【００３３】
図６において、切り抜き開口２４１Ｇは、ベース部２４１に形成される内周面２４１Ｈにより囲まれる。換言すると、切り抜き開口２４１Ｇの形状は、内周面２４１Ｈにより規定される。具体的に、ベース部２４１は、内周面２４１Ｈに、第１主面２４１Ａ及び第２主面２４１Ｂの各々において切り抜き開口２４１Ｇとの境をなす辺同士を繋ぐ複数の端面を有する。
【００３４】
具体的に、前記複数の端面は、内周面２４１Ｈの左側部分に、４個の端面２４１Ｊ，２４１Ｋ，２４１Ｌ，２４１Ｍを含む。端面２４１Ｊは、本発明の第１端面の一例であり、端面２４１Ｋは、本発明の第２端面の一例であり、端面２４１Ｌは、本発明の第３端面の一例である。そのため、以下では、端面２４１Ｊを第１端面２４１Ｊと称し、端面２４１Ｋを第２端面２４１Ｋと称し、端面２４１Ｌを第３端面２４１Ｌと称する場合がある。したがって、ベース部２４１は、内周面２４１Ｈに含まれる第１端面２４１Ｊ、第２端面２４１Ｋ及び第３端面２４１Ｌを有する。
【００３５】
第１端面２４１Ｊ及び端面２４１Ｍの各々は、ベース部２４１において外縁２４１Ｃ寄りの位置で第２方向Ｌ２に沿って延在する。
【００３６】
図６において、第１端面２４１Ｊは、端部ＦＰ１，ＳＰ２（枠ＦＬ１内を参照）を有する。端部ＦＰ１，ＳＰ２は、距離ＴＤ３（図９を参照）よりも長い第１特定距離ＳＤ２だけ第２方向Ｌ２に互いに離間する。また、距離ＴＤ３は、フィルター２８の長さ方向Ｌ８へのサイズに相当する。第１端面２４１Ｊは、端部ＦＰ１から端部ＳＰ２まで第２方向Ｌ２に沿って延在し、開口２６Ｂにおける第３方向Ｗ３の一方側の形状を規定する。
【００３７】
なお、端部ＦＰ１は、第１端面２４１Ｊの上端部であり、端部ＳＰ２はその下端部である。また、端部ＦＰ１は、本発明の第１端部の一例であり、端部ＳＰ２は、本発明の第２端部の一例である。そのため、以下では、端部ＦＰ１を第１端部ＦＰ１と称する場合がある。また、端部ＳＰ２を第２端部ＳＰ２と称する場合がある。
【００３８】
図６において、端面２４１Ｍは、端面２４１Ｊよりも右方向に距離ＳＤ６よりも短い距離だけ離間する。距離ＳＤ６は、基板２５の端面２５Ｃ（後述）及び第１端面２４１Ｊ間の第４方向Ｗ４における距離である。端面２４１Ｍの上側の端部ＦＰ４（枠ＦＬ１内を参照）は、第２方向Ｌ２において端面２４１Ｊの端部ＦＰ２と同じ位置を有する。端面２４１Ｍは、予め定められている距離だけ端部ＦＰ４から第２方向Ｌ２に延在する。
【００３９】
第２端面２４１Ｋ及び第３端面２４１Ｌは、ベース部２４１において外縁２４１Ｃ寄りの位置で第３方向Ｗ３に沿って延在する。特に、第２端面２４１Ｋは、第３方向Ｗ３の一方側で第１端面２４１Ｊの第１端部ＦＰ１と接続される。即ち、第２端面２４１Ｋは、第１端面２４１Ｊと第１端部ＦＰ１を共有する。第２端面２４１Ｋは更に、第４方向Ｗ４に第１端部ＦＰ１から離間する端部ＴＰ３を有する。第２端面２４１Ｋは、第１端部ＦＰ１から端部ＴＰ３まで第３方向Ｗ３に沿って延在し、開口２６Ｂにおける第２方向Ｌ２の一方側の形状を規定する。なお、位置ＴＰ３及び位置ＦＰ１の間の距離は予め定められている。また、端部ＴＰ３は、本発明の第３端部の一例である。そのため、以下では、端部ＴＰ３を第３端部ＴＰ３と称する場合がある。
【００４０】
第３端面２４１Ｌは、第３方向Ｗ３の一方側で第１端面２４１Ｊの第２端部ＳＰ２と接続される。即ち、第３端面２４１Ｌは、第１端面２４１Ｊと第２端部ＳＰ２を共有する。第３端面２４１Ｌは更に、第２端部ＳＰ２から第４方向Ｗ４に離間する端部ＦＰ４を有する。換言すると、第３端面２４１Ｌは、端部ＦＰ４を端面２４１Ｍと共有する。第３端面２４１Ｌは、第２端部ＳＰ２から端部ＦＰ４まで第３方向Ｗ３に沿って延在して、端面２４１Ｍの上側の端部（即ち、端部ＦＰ４）に接続される。第３端面２４１Ｌは、開口２６Ｂにおける第２方向Ｌ２の他方側の形状を規定する。なお、位置ＳＰ２，ＦＰ４の間の距離は、予め定められており、距離ＳＤ６よりも短い。なお、図６において、基板２５は破線で示されている。なお、端部ＦＰ４は、本発明の第４端部の一例である。そのため、以下、端部ＦＰ４を第４端部ＦＰ４と称する場合がある。
【００４１】
図４において、取付部２４２Ａ〜２４２Ｄは、前記金属製の板を折り曲げ加工することにより、切り抜き開口２４１Ｇの周囲にベース部２４１に一体に設けられる。取付部２４２Ａ〜２４２Ｄの各々は、ベース部２４１の第２主面２４１Ｂから第１方向Ｄ１（即ち、後方）に突出する。
【００４２】
具体的に、取付部２４２Ａは、本発明の取付部の一例である。取付部２４２Ａは、第２主面２４１Ｂにおいて外縁２４１Ｃ寄りの位置（図５の枠ＦＬ２内を参照）であり、且つ切り抜き開口２４１Ｇの左上隅寄りの位置（図６を参照）に設けられる。取付部２４２Ａは、この位置から、第１方向Ｄ１に予め定められている距離ＥＤ８だけ延出して屈曲し、第４方向Ｗ４に予め定められている距離ＮＤ９だけ延出する（図５の枠ＦＬ２内を参照）。
【００４３】
より詳細には、取付部２４２Ａは、自身の下方側に端面２４２Ｅを含む。端面２４２Ｅは、本発明の第４端面の一例である。そのため、以下では、端面２４２Ｅを第４端面２４２Ｅと称する場合がある。
【００４４】
第４端面２４２Ｅは、第１方向Ｄ１の逆方向側で第２端面２４１Ｋの第３端部ＴＰ３と接続される。即ち、第４端面２４２Ｅは、第２端面２４１Ｋと第３端部ＴＰ３を共有する。第４端面２４２Ｅは更に、端部ＦＰ５と、中間部ＳＰ６と、を有する。なお、端部ＦＰ５は、本発明の第５端部の一例である。そのため、以下、端部ＦＰ５を第５端部ＦＰ５と称する場合がある。
【００４５】
第５端部ＦＰ５は、第１方向Ｄ１及び第４方向Ｗ４の双方（即ち、左斜め後方）に第３端部ＴＰ３から離間する。具体的に、第５端部ＦＰ５は、第１方向Ｄ１において、距離ＥＤ８から厚さＴ０１に相当する距離を減算して得られた距離だけ第３端部ＴＰ３から離間する。第５端部ＦＰ５は、第４方向Ｗ４において、第３端部ＴＰ３から距離ＮＤ９だけ離間する。
【００４６】
中間部ＳＰ６は、第３端部ＴＰ３から第１方向Ｄ１に距離ＥＤ８だけ離間する。
【００４７】
第４端面２４２Ｅは、第３端部ＴＰ３から中間部ＳＰ６を経由して第５端部ＦＰ５に至る。具体的に、第４端面２４２Ｅは、第３端部ＴＰ３から中間部ＳＰ６に至るまで第１方向Ｄ１に沿って延在し、中間部ＳＰ６から第５端部ＦＰ５に至るまでは第４方向Ｗ４に沿って延在する。第４端面２４２Ｅは、開口２６Ｂの第２方向Ｌ２の一方側（即ち、第６方向Ｌ６側）における形状を規定する。
【００４８】
端面２４２Ｅは、端面２４１Ｋと所謂面一に形成される。つまり、端面２４２Ｅは、端面２４１Ｋに対し段差が無く平坦な形状に形成されている。なお、端面２４２Ｅは、端面２４１Ｋと面一でなくともよい。
【００４９】
図６において、取付部２４２Ｂは、第２主面２４１Ｂにおいて取付部２４２Ａから第５方向Ｌ５に離間し且つ切り抜き開口２４１Ｇの左下隅寄りの位置に設けられる。取付部２４２Ｂは、この位置から第１方向Ｄ１に距離ＥＤ８（図５を参照）だけ延在して屈曲し、第４方向Ｗ４に延在する。
【００５０】
また、取付部２４２Ｃは、第２主面２４１Ｂにおいて取付部２４２Ｂよりも右方向に離間し且つ切り抜き開口２４１Ｇの右下隅寄りの位置に設けられる。取付部２４２Ｃは、この位置から第１方向Ｄ１に距離ＥＤ８（図５を参照）だけ延出して屈曲し、第４方向Ｗ４の逆方向に延出する。
【００５１】
また、取付部２４２Ｄは、第２主面２４１Ｂにおいて取付部２４２Ａよりも右方向に離間し且つ切り抜き開口２４１Ｇの右上隅寄りの位置に設けられる。取付部２４２Ｄは、この位置から第１方向Ｄ１に距離ＥＤ８（図５を参照）だけ延出して屈曲し、第４方向Ｗ４の逆方向に延出する。
【００５２】
基板２５は、ガラスエポキシ樹脂等により作製される所謂プリント基板である。基板２５は、図４に示すように、取付部２４２Ａ〜２４２Ｄにネジ等で取り付けられる。
【００５３】
基板２５は、図７に示されるように、前後方向Ｄにおいて互いに離間する第１主面２５Ａ及び第２主面２５Ｂを有する。図７において、基板２５の前側の面が第１主面２５Ａであり、後ろ側の面が第２主面２５Ｂである。第１主面２５Ａは、底部２２Ｄから第１方向Ｄ１に離間する。また、第１主面２５Ａは、ベース部２４１の第２主面２４１Ｂから距離ＥＤ８だけ第１方向Ｄ１に離間する。第２主面２５Ｂは、第１主面２５Ａから第１方向Ｄ１に基板２５の厚さに相当する距離だけ離間する。
【００５４】
第１主面２５Ａ及び第２主面２５Ｂは、互いに同じサイズの矩形形状を有する。なお、第１主面２５Ａ及び第２主面２５Ｂは角処理（即ち面取り）がなされていてもよい。第１主面２５Ａ及び第２主面２５Ｂの第３方向Ｗ３におけるサイズ（以下、幅という）をＷ０２とすると、幅Ｗ０２は幅Ｗ０１よりも狭い（図８を参照）。また、第１主面２５Ａ及び第２主面２５Ｂの第２方向Ｌ２におけるサイズ（以下、長さという）をＬ０２とすると、長さＬ０２は、長さＬ０１よりも短い（図８を参照）。
【００５５】
また、基板２５は更に、第１主面２５Ａと第２主面２５Ｂとを繋ぐ４つの端面を含む。特に、基板２５は、図７の枠ＦＬ３内に示されるように、基板２５が取付部２４２Ａ〜２４２Ｄ（図４を参照）に取り付けられる場合に、自身の左端に端面２５Ｃを有する。端面２５Ｃは、本発明の第５端面の一例である。そのため、以下では、端面２５Ｃを第５端面２５Ｃと称する場合がある。第５端面２５Ｃは、基板２５が取付部２４２Ａ〜２４２Ｄ（図４を参照）に取り付けられる場合に、第１端面２４１Ｊから第４方向Ｗ４へ離間する。第５端面２５Ｃは、図７の枠ＦＬ３内に示されるように、第４端面２４２Ｅの第１方向Ｄ１における端部と当接する。第５端面２５Ｃは、図８に示されるように、第２方向Ｌ２の一方側から他方側に向かう第５方向Ｌ５へ延出し、取付部２４２Ｂに至る。
【００５６】
収容部２６は、図９に示されるように、底部２２Ｄと、第１方向Ｄ１に底部２２Ｄから隔てた位置において開口２６Ｂの形状を規定する内周縁部２６Ａと、を有する。内周縁部２６Ａは、第１端面２４１Ｊ、第２端面２４１Ｋ、第３端面２４１Ｌ、第４端面２４２Ｅ及び第５端面２５Ｃを含む。具体的に、内周縁部２６Ａは、端面２４１Ｌ，２４１Ｊ，２４１Ｋ，２４２Ｅを順番に連接することで得られる屈曲面と、前記屈曲面と交差する第５端面２５Ｃとからなる。開口２６Ｂは、内周縁部２６Ａ、即ち、第１端面２４１Ｊ、第２端面２４１Ｋ、第３端面２４１Ｌ、第４端面２４２Ｅ及び第５端面２５Ｃにより囲まれる空間である。より具体的には、開口２６Ｂは、内周縁部２６Ａの第１方向Ｄ１における端部により囲まれる空間である。底部２２Ｄ及び内周縁部２６Ａにより、収容部２６には、図５に示されるように、底部２２Ｄから開口２６Ｂに至る収容空間２６Ｃが形成される。収容空間２６Ｃは、図５において異形の点線で収容部２６は、操作表示部２の後方からの平面視で基板２５の左側に隣接する。これにより、内周縁部２６Ａの全体がベース部２４１に形成される場合と比較して、基板２５及び収容部２６の筐体２１において占める空間を小さくできる。その結果、操作表示部２を小型化することが可能となる。
【００５７】
収容部２６の前記収容空間２６Ｃには、図１０に示されるように、第１電線２７Ａがフィルター２８の貫通孔に挿通された状態のフィルター２８、及び第１電線２７Ａにおいて基端部２７Ａ１からフィルター２８に至る特定部分が収容される。なお、第１電線２７Ａ，フィルター２８の詳細については後段で説明する。
【００５８】
図９において、基板２５の第２主面２５Ｂには、表示部２２に表示される画像データを送信する電子回路が設けられる。表示部２２は、前記画像データに基づき画像を表示する。具体的に、前記電子回路は、プロセッサー等を含む半導体集積回路と、各種電子部品と、これらを接続する配線を含む。前記各種電子部品は、コンデンサー等の素子等に加え、２個のコネクター２５Ｄ，２５Ｅを含む。コネクター２５Ｄは、第２主面２５Ｂの左上隅寄りの位置に設けられる。コネクター２５Ｅは、第２主面２５Ｂにおいて、コネクター２５Ｄから第５方向Ｌ５へ距離ＴＤ３以上の距離だけ離間する位置に設けられる。
【００５９】
また、フィルター２８は、円筒形状のフェライト等であり、端面２８Ａ，２８Ｂと、外周面２８Ｃと、を有する。
【００６０】
端面２８Ａ，２８Ｂの各々は、互いに同じ環状形状を有する。端面２８Ａ，２８Ｂは、フィルター２８の長さ方向Ｌ８において予め定められている距離ＴＤ３だけ互いに離間する。即ち、フィルター２８は、長さ方向Ｌ８において距離ＴＤ３に相当するサイズ（即ち、長さ）を有する。また、端面２８Ａ，２８Ｂは、予め定められている外径φ０１を有する。外径φ０１は、端面２５Ｃ，２４１Ｊ間の直線距離ＥＤ１１（図７を参照）よりも短い。これにより、フィルター２８を収容部２６の開口２６Ｂに挿入することが可能となる。
【００６１】
外周面２８Ｃは、端面２８Ａ，２８Ｂの外縁同士を接続する面である。
【００６２】
フィルター２８には、端面２８Ａから端面２８Ｂへの長さ方向Ｌ８に沿って貫通する貫通孔が設けられている。第１電線２７Ａは、前記貫通孔に挿通されフィルター２８に巻回される。
【００６３】
図１１に示されるように、フィルター２８は、長さ方向Ｌ８が第２方向Ｌ２に合わせられた状態で、第１電線２７Ａが前記貫通孔に挿通された状態で収容部２６の開口２６Ｂから挿入され収容部２６に収容される。この場合、フィルター２８は、端面２４１Ｊ，２４１Ｋ，２４１Ｌ，２４２Ｅ，２５Ｃに囲まれる。また、フィルター２８は、収容部２６の第２端面２４１Ｋ及び第４端面２４２Ｅから第５方向Ｌ５に端面２８Ａが第２特定距離ＴＤ１２だけ離間させた状態で収容部２６に収容される。距離ＴＤ１２は、第１特定距離ＳＤ２から距離ＴＤ３を減算した値よりも短い距離である。
【００６４】
また、第１電線２７Ａは、自身の一方端部に基端部２７Ａ１を有する。基端部２７Ａ１は、コネクター２５Ｄと電気的に接続され、コネクター２５Ｄを介して、前記電子回路と電気的に接続される。また、フィルター２８が収容部２６に収容されることで、第１電線２７Ａは、コネクター２５Ｄから第５端面２５Ｃを超えて収容部２６内に向かって延出する。第１電線２７Ａは、収容部２６内を通過してフィルター２８に至る。換言すると、第１電線２７Ａにおいて基端部２７Ａ１からフィルター２８に至る特定部分もまた収容部２６に収容される。具体的に、前記特定部分は、収容部２６においてフィルター２８と第４端面２４２Ｅとの間に収容される。第１電線２７Ａの他方端部は、筐体１（図１を参照）内に設けられる制御部（図示せず）又は電源回路（図示せず）等と電気的に接続される。フィルター２８は、画像形成装置１００の稼働時に、第１電線２７Ａにより伝送される信号又は交流電力から不必要な高周波成分を除去する。
【００６５】
また、第２電線２７Ｂは、前記信号等を伝送するフラットケーブル等であり、コネクター２５Ｅを介して前記電子回路と電気的に接続される。第２電線２７Ｂは、コネクター２５Ｅから第５端面２５Ｃを超えて端面２４１Ｍに向かって延出する。第２電線２７Ｂは更に、第５端面２５Ｃと端面２４１Ｍの間の位置で屈曲して、基板２５の前方側に向かって延在する。
【００６６】
なお、基板２５に高密度で前記各種電子部品を実装する等の観点から、コネクター２５Ｅは、コネクター２５Ｄに極力近い位置に配置される。具体的に、第２電線２７Ｂの上端部は、第２方向Ｌ２の他方側から一方側に向かう第６方向Ｌ６において第３端面２４１Ｌ寄りの位置に設けられる。この場合、第２電線２７Ｂの上端部が第３端面２４１Ｌから第６方向Ｌ６にはみ出すおそれもある。
【００６７】
一般に、電装装置の内部には、板金加工により作製されるフレーム、外装体又はリジットな基板等の部材が設けられる。前記部材の各々の周縁部は鋭利なエッジになっている場合がある。そのため、フィルターが前記電装装置の内部に設けられる場合、前記フィルターが前記電装装置の内部で動き、前記フィルターに挿通される電線が前記エッジと接触することにより損傷するおそれがある。
【００６８】
本実施形態では、前記フィルターを位置決めするとともに、前記フィルターに挿通される前記電線の損傷を抑制可能な構成を一つの簡単な部材で実現可能な電装装置及び表示装置が提供される。
【００６９】
保持部材２９は、可撓性材料で構成される。具体的に、保持部材２９は、前記可撓性材料を加工することにより作製される。前記可撓性材料は、ポリカーボネート等の樹脂である。また、図１１に示すように、保持部材２９は、シート状の形状を有する。保持部材２９を薄型化することで、保持部材２９を低コスト化で作製することが可能となる。図４に示されるように、保持部材２９は、収容部２６にフィルター２８及び第１電線２７Ａが収容された状態で、ベース部２４１の第２主面２４１Ｂにおいて収容部２６の開口２６Ｂ（図９を参照）の周囲に接着剤等を用いて取り付けられる。具体的に、保持部材２９は、収容部２６の内周縁部２６Ａから開口２６Ｂに向かって突出するように、収容部２６に取り付けられる。
【００７０】
なお、前記接着剤に限らず、他の方法により、保持部材２９はベース部２４１に取り付けられてもよい。例えば、図１２において、ベース部２４１の第２主面２４１Ｂには、収容部２６の開口２６Ｂの周囲の２か所に貫通孔２９４が形成されている。また、保持部材２９は、周縁部２９Ｄ，２９Ｅの各々から長手方向Ｌ９に突出し厚さ方向Ｔ７に屈曲する挿入部２９５を更に備える。各挿入部２９５が対応する貫通孔２９４に挿し込まれることで、保持部材２９はベース部２４１に取り付けられてもよい。
【００７１】
図１１に示すように、保持部材２９は、長手方向Ｌ９、幅方向Ｗ７及び厚さ方向Ｔ７の各々において予め定められているサイズを有する。なお、長手方向Ｌ９、幅方向Ｗ７及び厚さ方向Ｔ７は、互いに直交する方向である。
【００７２】
保持部材２９は、互いに同じ形状の第１主面２９Ａ及び第２主面２９Ｂを有する。図１１において、保持部材２９の奥側（図１１の紙面奥側）の面が第１主面２９Ａであり、手前側（図１１の紙面手前側）の面が第２主面２９Ｂである。第１主面２９Ａ及び第２主面２９Ｂは、互いに平行であり、厚さ方向Ｔ７において厚さＴ０３に相当する距離だけ離間する。
【００７３】
図１１に示すように、保持部材２９は、ベース部２９０と、介在部２９１と、延出部２９２と、を含む。ベース部２９０は、長手方向Ｌ９に延びる。介在部２９１は、ベース部２９０における長手方向Ｌ９の一方端から幅方向Ｗ７へ延びる。延出部２９２は、ベース部２９０における長手方向Ｌ９の他方端から、幅方向Ｗ９（より具体的には、介在部２９１と同方向）へ延びる。保持部材２９において、ベース部２９０、介在部２９１、及び延出部２９２は一体に形成されている。
【００７４】
保持部材２９の長さ、即ち、ベース部２９０の長手方向Ｌ９におけるサイズＬ０３は、第１特定距離ＳＤ２（図６を参照）よりも長い。また、保持部材２９の幅、即ち、介在部２９１の幅方向Ｗ７におけるサイズＷ０３は、距離ＳＤ６（図６を参照）よりも長い。また、介在部２９１の幅方向Ｗ７における長さは、延出部２９２の同方向における長さよりも長い。また、保持部材２９の厚さ、即ち、保持部材２９の厚さ方向Ｔ７におけるサイズＴ０３は、０．２ｍｍ以上０．５ｍｍ以下である。しかし、これに限らず、厚さＴ０３は、０．５ｍｍ以上でもよい。
【００７５】
図１３に示されるように、保持部材２９は、下記のように第２主面２４１Ｂに配置される。具体的に、ベース部２９０は、長手方向Ｌ９が上下方向Ｌ２に合わせられた状態で、ベース部２４１の第１端面２４１Ｊを覆うように取り付けられる。更に具体的には、ベース部２９０の右端寄りの特定部分は、第１端面２４１Ｊから第４方向Ｗ４に突出して、フィルター２８における外周面２８Ｃの左側から当接するとともに外周面２８Ｃの右側を第５端面２５Ｃに当接させる。これにより、フィルター２８の収容部２６内における位置のうち、左右方向Ｗ３の位置が規制される。また、ベース部２９０の前記特定部分以外の部分が第２主面２４１Ｂにおいて開口２６Ｂの左側の部分に前記接着剤等で取り付けられる。
【００７６】
また、ベース部２９０が第２主面２４１Ｂに取り付けられる際、ベース部２９０において介在部２９１が設けられている側（即ち、ベース部２９０の一方端側）は、第２主面２４１Ｂにおいて延出部２９２よりも上方に配置される。介在部２９１は、ベース部２９０における第１端面２４１Ｊから基板２５における第５端面２５Ｃに向かって第２端面２４１Ｋ及び第４端面２４２Ｅに沿って延出する。具体的に、介在部２９１は、開口２６Ｂにおいて、内周面２４１Ｈに含まれる端面２４１Ｋ，２４２Ｅと、フィルター２８が有する端面２８Ａとの間に形成される空間に配置される。また、延出部２９２は、ベース部２４１の第３端面２４１Ｌ及び端面２４１Ｍを覆うように取り付けられる。更に具体的には、延出部２９２の上端寄りの特定部分は第３端面２４１Ｌから第６方向Ｌ６に突出する。また、延出部２９２の右端部は端面２４１Ｍに沿う。延出部２９２において前記特定部分以外の部分が第２主面２４１Ｂにおいて開口２６Ｂの下側の部分に前記接着剤等で取り付けられる。
【００７７】
介在部２９１の幅方向Ｗ７における先端部分には切り欠き部２９１Ａが設けられている。切り欠き部２９１Ａは、保持部材２９が収容部２６に取り付けられる場合、介在部２９１の第４方向Ｗ４における先端に位置する。介在部２９１の切り欠き部２９１Ａは、端面２４１Ｋ，２４２Ｅと、端面２８Ａとの間の前記空間において、第５端面２５Ｃ寄りの位置に配置される。切り欠き部２９１Ａには、第１電線２７Ａの前記特定部分が配置される。換言すると、切り欠き部２９１Ａには、前記特定部分が嵌まり込む。これにより、介在部２９１は、内周縁部２６Ａと第１電線２７Ａの前記特定部分との間に介在する。
【００７８】
介在部２９１の下端部がフィルター２８の端面２８Ａに当接し、延出部２９２の上端部がフィルター２８の端面２８Ｂに当接し、これによって、フィルター２８の収容部２６内における位置のうち、上下方向Ｌ２における位置が規制される。また、フィルター２８の左右方向Ｗ３の位置は、ベース部２９０の前記特定部分により規制する。したがって、介在部２９１の下端部と、延出部２９２の上端部と、ベース部２９０の前記特定部分は、収容部２６におけるフィルター２８の位置を規制する位置規制部２９３を構成する。
【００７９】
また、保持部材２９は、図１１に示されるように、９個の周縁部、詳細には、周縁部２９Ｃ，２９Ｄ，２９Ｅ，２９Ｆ，２９Ｇ，２９Ｈ，２９Ｊ，２９Ｋ，２９Ｐを有する。また、保持部材２９は、３個の当接部、詳細には、当接部２９Ｌ，２９Ｍ，２９Ｎを有する。前記９個の周縁部及び３個の当接部の各々は、第１主面２９Ａ及び第２主面２９Ｂの周縁同士を厚さ方向Ｔ７に沿って繋ぐ端部であり、言い換えると、保持部材２９の面方向の端部である。
【００８０】
なお、周縁部２９Ｇは、本発明の第１周縁部の一例である。第２周縁部２９Ｈは、本発明の第２周縁部の一例である。周縁部２９Ｊは、本発明の第３周縁部の一例である。そのため、以下では、周縁部２９Ｇを第１周縁部２９Ｇと称する場合がある。また、周縁部２９Ｈを第２周縁部２９Ｈと称する場合がある。また、周縁部２９Ｊを第３周縁部２９Ｊと称する場合がある。
【００８１】
また、当接部２９Ｍは、本発明の第１当接部の一例である。当接部２９Ｌは、本発明の第２当接部の一例である。当接部２９Ｎは、本発明の第３当接部の一例である。そのため、以下では、当接部２９Ｍを第１当接部２９Ｍと称する場合がある。また、当接部２９Ｌを第２当接部２９Ｌと称する場合がある。また、当接部２９Ｎを第３当接部２９Ｎと称する場合がある。
【００８２】
また、説明の便宜のため、図１１には、第１当接部２９Ｍを長手方向Ｌ９の両方向に周縁部２９Ｄ，２９Ｅに至るまで延長した仮想面２９Ｖ（一点鎖線を参照）が示されている。
【００８３】
ベース部２９０は、保持部材２９において、周縁部２９Ｃ，２９Ｄ，２９Ｅと、仮想面２９Ｖとで囲まれる部分である。介在部２９１は、周縁部２９Ｄ，２９Ｆ，２９Ｇ，２９Ｈ，２９Ｊ，２９Ｋ，２９Ｌを含む。具体的に、介在部２９１は、保持部材２９において、仮想面２９Ｖにおいて当接部２９Ｍよりも周縁部２９Ｄ側の部分と、周縁部２９Ｄ，２９Ｆ，２９Ｇ，２９Ｈ，２９Ｊ，２９Ｋ，２９Ｌとで囲まれる部分である。特に、介在部２９１において、切り欠き部２９１Ａは、第１周縁部２９Ｇ、第２周縁２９部Ｈ、及び第３周縁部２９Ｊを有する。延出部２９２は、保持部材２９において、当接部２９Ｎと、周縁部２９Ｐ，２９Ｅと、仮想面２９Ｖとで囲まれる部分である。また、位置規制部２９３は、第１当接部２９Ｍ、第２当接部２９Ｌ、及び第３当接部２９Ｎと、を含む。
【００８４】
周縁部２９Ｃは、ベース部２９０における幅方向Ｗ７の一方側の周縁に相当する。周縁部２９Ｃは、長手方向Ｌ９の一方側に角部２９Ｃ１を有し、その他方端に角部２９Ｃ２を有する。角部２９Ｃ１，２９Ｃ２は、長さＬ０３に相当する距離だけ長手方向Ｌ９に互いに離間する。周縁部２９Ｃは、角部２９Ｃ１及び角部２９Ｃ２の間で長手方向Ｌ９に沿って延在する。
【００８５】
周縁部２９Ｄは、ベース部２９０及び介在部２９１の各々における長手方向Ｌ９の一方側の周縁に相当する。具体的に、周縁部２９Ｄは、幅方向Ｗ７の一方側で周縁部２９Ｃの角部２９Ｃ１と連接される。即ち、周縁部２９Ｄは、角部２９Ｃ１を共有する。周縁部２９Ｄは更に、角部２９Ｃ１から幅方向Ｗ７の他方側に幅Ｗ０３と同じ距離だけ離間する角部２９Ｄ１を有する。周縁部２９Ｄは、角部２９Ｃ１と角部２９Ｄ１との間で幅方向Ｗ７に沿って延在する。
【００８６】
周縁部２９Ｅは、ベース部２９０及び延出部２９２の各々における長手方向Ｌ９の他方側の周縁に相当する。具体的に、周縁部２９Ｅは、幅方向Ｗ７の一方側に周縁部２９Ｃの角部２９Ｃ２と連接される。即ち、周縁部２９Ｅは、角部２９Ｃ２を共有する。周縁部２９Ｅは更に、角部２９Ｃ２から幅方向Ｗ７の他方側に幅Ｗ０３よりも短い距離だけ離間する角部２９Ｅ１を有する。周縁部２９Ｅは、角部２９Ｃ２と角部２９Ｅ１との間で幅方向Ｗ７に沿って延在する。
【００８７】
周縁部２９Ｆは、介在部２９１の周縁において幅方向Ｗ７の一方側の周縁に相当する。具体的に、周縁部２９Ｆは、長手方向Ｌ９の一方側で周縁部２９Ｄの角部２９Ｄ１と連接される。即ち、周縁部２９Ｆは、角部２９Ｄ１を共有する。周縁部２９Ｆは更に、角部２９Ｄ１から長手方向Ｌ９の他方側に予め定められている距離だけ離間する角部２９Ｆ１を有する。周縁部２９Ｆは、角部２９Ｄ１と角部２９Ｆ１との間で長手方向Ｌ９に沿って延在する。
【００８８】
第１周縁部２９Ｇは、切り欠き部２９１Ａの周縁において長手方向Ｌ９の一方側の周縁に相当する。具体的に、第１周縁部２９Ｇは、幅方向Ｗ７の一方側で周縁部２９Ｆの角部２９Ｆ１と連接される。即ち、第１周縁部２９Ｇは、角部２９Ｆ１を共有する。第１周縁部２９Ｇは更に、角部２９Ｆ１から幅方向Ｗ７の他方側に距離ＦＤ１５だけ離間する角部２９Ｇ１を有する。第１周縁部２９Ｇは、角部２９Ｆ１と角部２９Ｇ１との間で幅方向Ｗ７に沿って延在する。
【００８９】
第２周縁部２９Ｈは、切り欠き部２９１Ａの周縁において幅方向Ｗ７の他方側の周縁に相当する。具体的に、第２周縁部２９Ｈは、長手方向Ｌ９の一方側で第１周縁部２９Ｇの角部２９Ｇ１と連接される。即ち、第２周縁部２９Ｈは、角部２９Ｇ１を共有する。第２周縁部２９Ｈは更に、角部２９Ｇ１から長手方向Ｌ９の他方側に第４特定距離ＳＤ１６だけ離間する角部２９Ｈ１を有する。第２周縁部２９Ｈは、角部２９Ｇ１と角部２９Ｈ１との間で長手方向Ｌ９に沿って延在する。
【００９０】
第３周縁部２９Ｊは、切り欠き部２９１Ａの周縁において長手方向Ｌ９の他方側の周縁に相当する。具体的に、第３周縁部２９１Ｊは、幅方向Ｗ７の一方側で第２周縁部２９Ｈの角部２９Ｈ１と連接される。即ち、第３周縁部２９Ｊは、角部２９Ｈ１を共有する。第３周縁部２９Ｊは更に、角部２９Ｈ１から幅方向Ｗ７の一方側に第４特定距離ＳＤ１６だけ離間する角部２９Ｊ１を有する。第３周縁部２９Ｊは、角部２９Ｈ１と角部２９Ｊ１との間で幅方向Ｗ７に沿って延在する。
【００９１】
距離ＦＤ１５及び第４特定距離ＳＤ１６は、第１電線２７Ａ（図１１を参照）の太さに基づき定められる。具体的に、距離ＦＤ１５及び第４特定距離ＳＤ１６は、前記太さに相当する距離以上である。距離ＦＤ１５及び第４特定距離ＳＤ１６が前記距離を超える場合、周縁部２９Ｇ，２９Ｈ，２９Ｊで囲まれる空間に第１電線２７Ａを挿入し易くなる。なお、距離ＦＤ１５及び第４特定距離ＳＤ１６は、互いに異なる距離である。これに限らず、距離ＦＤ１５及び第４特定距離ＳＤ１６は互いに同じ距離でもよい。
【００９２】
周縁部２９Ｋは、介在部２９１の周縁において幅方向Ｗ７の一方側の周縁に相当する。具体的に、周縁部２９Ｋは、長手方向Ｌ９の一方側で第３周縁部２９Ｊの角部２９Ｊ１と連接される。即ち、周縁部２９Ｋは、角部２９Ｊ１を共有する。周縁部２９Ｋは更に、角部２９Ｊ１から長手方向Ｌ９の他方側に離間する角部２９Ｋ１を有する。角部２９Ｊ１と角部２９Ｋ１とは、周縁部２９Ｆと同じ長さに相当する距離だけ離間する。周縁部２９Ｋは、角部２９Ｊ１と角部２９Ｋ１との間で長手方向Ｌ９に沿って延在する。
【００９３】
第２当接部２９Ｌは、介在部２９１の周縁において長手方向Ｌ９の他方側の周縁に相当する。具体的に、第２当接部２９Ｌは、幅方向Ｗ７の他方側で周縁部２９Ｋの角部２９Ｋ１と連接される。即ち、第２当接部２９Ｌは、角部２９Ｋ１を共有する。第２当接部２９Ｌは更に、角部２９Ｋ１から幅方向Ｗ７の他方側に離間する角部２９Ｌ１を有する。角部２９Ｋ１と角部２９Ｌ１とは、距離ＳＤ６よりも短く且つ第３当接部２９Ｎよりも長い距離だけ離間する。第２当接部２９Ｌは、角部２９Ｋ１と角部２９Ｌ１との間で幅方向Ｗ７に沿って延在する。
【００９４】
第１当接部２９Ｍは、ベース部２９０の周縁において幅方向Ｗ７の他方側の周縁に相当する。具体的に、第１当接部２９Ｍは、長手方向Ｌ９の一方側で第２当接部２９Ｌの角部２９Ｌ１と連接される。即ち、第１当接部２９Ｍは、角部２９Ｌ１を共有する。第１当接部２９Ｍは更に、角部２９Ｌ１から長手方向Ｌ９の他方側に距離ＴＤ３と同じ第５特定距離ＴＤ１３だけ離間する角部２９Ｍ１を有する。第１当接部２９Ｍは、角部２９Ｌ１と角部２９Ｍ１との間で長手方向Ｌ９に沿って延在する。
【００９５】
なお、角部２９Ｌ１は、本発明の第６端部の一例である。また、角部２９Ｍ１は、本発明の第７端部の一例である。そのため、以下では、角部２９Ｌ１を第６端部２９Ｌ１と称する場合がある。また、角部２９Ｍ１を第７端部２９Ｍ１と称する場合がある。
【００９６】
第３当接部２９Ｎは、延出部２９２の周縁において長手方向Ｌ９の一方側の周縁に相当する。具体的に、第３当接部２９Ｎは、幅方向Ｗ７の他方側で第１当接部２９Ｍの第７角部２９Ｍ１と連接される。即ち、第３当接部２９Ｎは、第７角部２９Ｍ１を共有する。第３当接部２９Ｎは更に、第７角部２９Ｍ１から幅方向Ｗ７の他方側に離間する角部２９Ｎ１を有する。第７角部２９Ｍ１と角部２９Ｎ１とは、外径φ０１よりも短い距離だけ離間する。第３当接部２９Ｎは、第７角部２９Ｍ１と角部２９Ｎ１との間で幅方向Ｗ７に沿って延在する。
【００９７】
第１当接部２９Ｍの長さはフィルター２８の長さと同じである。また、第２当接部２９Ｌ，２９Ｎは第１当接部２９Ｍから同じ方向に突出する。そのため、第１当接部２９Ｍ，２９Ｌ，２９Ｎで囲まれる空間にフィルター２８を挿入することができる。この場合、第１当接部２９Ｍは、フィルター２８の外周面２８Ｃに当接する。また、第２当接部２９Ｌ，２９Ｎは、フィルター２８の端面２８Ａ，２８Ｂにそれぞれ当接する。
【００９８】
周縁部２９Ｐは、延出部２９２の周縁において幅方向Ｗ７の一方側の周縁に相当する。具体的に、周縁部２９Ｐは、長手方向Ｌ９の一方側で第３当接部２９Ｎの角部２９Ｎ１と連接される。即ち、周縁部２９Ｐは、角部２９Ｎ１を共有する。周縁部２９Ｐは更に、角部２９Ｎ１から長手方向Ｌ９の他方側に離間する角部２９Ｐ１を有する。周縁部２９Ｐは、角部２９Ｎ１と角部２９Ｐ１との間で長手方向Ｌ９に沿って延在し、周縁部２９Ｅの角部２９Ｅ１に至る。
【００９９】
図１３において、保持部材２９は、下記（１），（２）の条件を満たすように、ベース部２４１に取り付けられる。条件（１）は、第１当接部２９Ｍが第１端面２４１Ｊに沿うことである。条件（２）は、収容部２６において第２端面２４１Ｋ及び第４端面２４２Ｅとフィルター２８の端面２８Ａとの間に形成されている空間に介在部２９１が挿入されることである。
【０１００】
より詳細には、介在部２９１において、第１周縁部２９Ｇは、第２端面２４１Ｋ及び第４端面２４２Ｅから第５方向Ｌ５に第２特定距離ＴＤ１２よりも短い第３特定距離ＳＤ７だけ離間し、第４方向Ｗ４に沿って延在するように位置決めされる。この場合、第２周縁部２９Ｈは、第１周縁部２９Ｇの角部２９Ｇ１（図１１を参照）から、第４特定距離ＳＤ１６だけ第５方向Ｌ５に延出する。ここで、角部２９Ｇ１は、保持部材２９が収容部２６に取り付けられる場合、第１周縁部２９Ｇの第３方向Ｗ３の一方側（即ち、左側）の端部となる。また、第３周縁部２９Ｊは、第２周縁部２９Ｈの第５方向Ｌ５における角部２９Ｈ１（図１１を参照）から、第４方向Ｗ４に沿って延出する。角部２９Ｈ１は、第２周縁部２９Ｈの第５方向Ｌ５における端部に相当する。また、第１電線２７Ａの前記特定部分は、第１周縁部２９Ｇよりも第５方向Ｌ５側に配置される。また、第１電線２７Ａの前記特定部分は、第２周縁部２９Ｈよりも第４方向Ｗ４側と、第３周縁部２９Ｊよりも第２方向Ｌ２の一方側（即ち、第６方向Ｌ６側）とに配置される。これにより、介在部２９１は、収容部２６の内周縁部２６Ａと第１電線２７Ａの前記特定部分の間に介在する。その結果、第１電線２７Ａは、第２端面２４１Ｋ及び第４端面２４２Ｅに当接し難くなり、フィルター２８に挿通される第１電線２７Ａの損傷を抑制可能となる。
【０１０１】
また、位置規制部２９３において、第１当接部２９Ｍは、第５特定距離ＴＤ１３だけ第２方向Ｌ２において互いに離間する第６端部２９Ｌ１及び第７端部２９Ｍ１を有し、第１端面２４１Ｊに沿って延在する。第２当接部２９Ｌは、第６端部２９Ｌ１（図１１を参照）から第４方向Ｗ４に延出して、収容部２６に収容されるフィルター２８の端面２８Ａに当接する。第３当接部２９Ｎは、第７端部２９Ｍ１から第４方向Ｗ４に延出して、フィルター２８の端面２８Ｂに当接する。換言すると、位置規制部２９３は、第１方向Ｄ１と直交する第２方向Ｌ２の両側と、第１方向Ｄ１及び第２方向Ｌ２と直交する第３方向Ｗ３の一方側とから、収容部２６に収容されているフィルター２８と当接する。これにより、位置規制部２９３は、収容部２６におけるフィルター２８の位置を規制する。即ち、操作表示部２（即ち、電装装置）におけるフィルター２８の位置決めがなされるため、フィルター２８は操作表示部２において動き難くなる。その結果、第１電線２７Ａの前記特定部分も収容部２６において動き難くなり、収容部２６の内周縁部２６Ａと接触し難くなる。これにより、第１電線２７Ａの損傷を抑制可能となる。
【０１０２】
また、位置規制部２９３において、第３当接部２９Ｎは、距離ＴＤ３（図１１を参照）及び第２特定距離ＴＤ１２の加算値を第１特定距離ＳＤ２から減算した距離だけ量だけ第６方向Ｌ６に第３端面２４１Ｌから突出する。この場合、第３当接部２９Ｎは、第２電線２７Ｂの第６方向Ｌ６における上端部よりも第６方向Ｌ６側に突出することが好ましい。この結果、フィルター２８が第２電線２７Ｂと接触して第２電線２７Ｂにストレスを与えることを抑制することが可能となる。これにより、第２電線２７Ｂの損傷を抑制可能となる。
【０１０３】
また、図１４において、フィルター２８は外径φ０１の外周面２８Ｃを有する。第１端面２４１Ｊは、φ０１／２よりも長い第６特定距離ＦＤ１だけ底部２２Ｄから離間する。第５端面２５Ｃは、第６特定距離ＦＤ１を超える距離だけ底部２２Ｄから離間する。位置規制部２９３において、第１当接部２９Ｍは、第１端面２４１Ｊから第４方向Ｗ４へ突出して、収容部２６に収容されるフィルター２８の外周面２８Ｃに当接する。また、第１当接部２９Ｍは外周面２８Ｃを第４方向Ｗ４へと押圧して、フィルター２８の外周面２８Ｃを第５端面２５Ｃに当接させる。第１当接部２９Ｍは、弾性を有するため、フィルター２８の前後方向Ｄへの動きを規制することができる。特に、操作表示部２（図１を参照）が揺動したとしても、収容部２６内でフィルター２８ががたつくことを防止することが可能となる。その結果、第１電線２７Ａを切り欠き部２９１Ａに安定的に係止することが可能となるため、第１電線２７Ａの損傷を抑制できる。また、フィルター２８が第２電線２７Ｂに当接することを防止できるため、第２電線２７Ｂの損傷を抑制可能となる。
【符号の説明】
【０１０４】
２  操作表示部，電装装置
２５  基板
２５Ｃ  端面，第５端面
２７Ａ  第１電線
２７Ａ１  基端部
２７Ｂ  第２電線
２８  フィルター
２６  収容部
２２Ｄ  底部
２６Ａ  内周縁部
２６Ｂ  開口
２９  保持部材
２９１  介在部
２９１Ａ  切り欠き部
２９Ｇ  周縁部，第１周縁部
２９Ｈ  周縁部，第２周縁部
２９Ｊ  周縁部，第３周縁部
２９２  位置規制部
２９Ｍ  当接部，第１当接部
２９Ｍ１  角部，第７端部
２９Ｌ  当接部，第２当接部
２９Ｌ１  角部，第６端部
２９Ｎ  当接部，第３当接部
２４  フレーム部
２４１  ベース部
２４１Ｊ  端面，第１端面
ＦＰ１  端部，第１端部
ＳＰ２  端部，第２端部
２４１Ｋ  端面，第２端面
ＴＰ３  第３端部
２４１Ｌ  端面，第３端面
ＦＰ４  端部，第４端部
２４２Ａ  取付部
２４２Ｅ  端面，第４端面
ＦＰ５  端部，第５端部
Ｄ１  第１方向
Ｌ２  第２方向
Ｗ３  第３方向
Ｗ４  第４方向
Ｌ５  第５方向
Ｌ６  第６方向
【図１】
2020009964.tif 000003
【図２】
2020009964.tif 000004
【図３】
2020009964.tif 000005
【図４】
2020009964.tif 000006
【図５】
2020009964.tif 000007
【図６】
2020009964.tif 000008
【図７】
2020009964.tif 000009
【図８】
2020009964.tif 000010
【図９】
2020009964.tif 000011
【図１０】
2020009964.tif 000012
【図１１】
2020009964.tif 000013
【図１２】
2020009964.tif 000014
【図１３】
2020009964.tif 000015
【図１４】
2020009964.tif 000016